(57)【要約】【課題】ＣＳＦＢ処理において、不要な再接続処理を行わない。【解決手段】本発明に係る移動通信方法は、ＬＴＥ-ＡＳが、ＥＭＭから受信した第１サービス要求に応じて、ｅＮＢとの間で、第１無線リンクを確立する工程と、ＬＴＥ-ＡＳが、ＬＴＥ方式の移動通信システムからＵＭＴＳ方式の移動通信システムへの切り替え処理を行うように指示する切り替え指示を受信してから第１所定期間内にＲＬＦを検出した場合、かかる切り替え処理が完了した後に、ＵＭＴＳ-ＡＳが、ＭＭ/ＧＭＭに対して再接続要求を送信する工程と、切り替え処理の開始前に移動局ＵＥがＬＴＥ方式の移動通信システムにおいてパケット通信を行っていなかった場合に、ＭＭ/ＧＭＭが、ＵＭＴＳ-ＡＳに対して再接続要求に応じた第２サービス要求を送信しない工程とを有する。【選択図】図５
2010045428.tif 000002
【特許請求の範囲】
【請求項１】
第１通信方式の移動通信システムに位置登録を行っている移動局が、第２通信方式の移動通信システムにおいて回線交換通信を開始する移動通信方法であって、
前記移動局における第１通信方式用の第１プロトコル機能が、該移動局における該第１通信方式用の第２プロトコル機能から受信した第１サービス要求に応じて、該第１通信方式の無線アクセス装置との間で、第１無線リンクを確立する工程Ａと、
前記第１通信方式用の第１プロトコル機能が、該第１通信方式の移動通信システムから前記第２通信方式の移動通信システムへの切り替え処理を行うように指示する切り替え指示を受信してから第１所定期間内に前記第１無線リンクの同期外れを検出した場合、該切り替え処理が完了した後に、該第２通信方式用の第１プロトコル機能が、該第２通信方式用の第２プロトコル機能に対して、再接続要求を送信する工程Ｂと、
前記切り替え処理の開始前に前記移動局が前記第１通信方式の移動通信システムにおいてパケット通信を行っていなかった場合に、前記第２通信方式用の第２プロトコル機能が、該第２通信方式用の第１プロトコル機能に対して、前記再接続要求に応じた第２サービス要求を送信しない工程Ｃと、
前記第２通信方式用の第２プロトコル機能が、受信した回線交換通信用の発信信号に応じて、該第２通信方式用の第１プロトコル機能に対して、回線交換通信用のサービス要求を送信する工程Ｄと、
前記第２通信方式用の第２プロトコル機能が、前記回線交換通信用のサービス要求に応じて、該第２通信方式の無線アクセス装置との間で、第２無線リンクを確立する工程Ｅとを有することを特徴とする移動通信方法。
【請求項２】
前記工程Ｃにおいて、所定タイマが満了していない場合で、かつ、前記切り替え処理の開始前に前記移動局が前記第１通信方式の移動通信システムにおいてパケット通信を行っていなかった場合に、前記第２通信方式用の第２プロトコル機能が、該第２通信方式用の第１プロトコル機能に対して、前記再接続要求に応じた第２サービス要求を送信せず、
前記第１通信方式用の第１プロトコル機能が、前記第１サービス要求を送信した時点で、前記所定タイマを起動し、
前記切り替え処理が完了した後に、前記第２通信方式用の第２プロトコル機能が、前記第１通信方式用の第２プロトコル機能から、前記所定タイマの状態を引き継ぎ、
前記第２通信方式用の第２プロトコル機能が、前記回線交換通信用のサービス要求を送信した時点で、前記所定タイマを停止することを特徴とする請求項１に記載の移動通信方法。
【請求項３】
前記工程Ｃにおいて、所定タイマが満了していない場合で、かつ、前記切り替え処理の開始前に前記移動局が前記第１通信方式の移動通信システムにおいてパケット通信を行っていなかった場合に、前記第２通信方式用の第２プロトコル機能が、該第２通信方式用の第１プロトコル機能に対して、前記再接続要求に応じた第２サービス要求を送信せず、
アプリケーション機能が、前記第１通信方式用の第２プロトコル機能に対して、前記回線交換通信を開始するように要求した時点で、前記所定タイマを起動し、
前記アプリケーション機能が、前記第２通信方式用の第２プロトコル機能に対して、前記回線交換通信用の発信信号を送信して時点で、前記所定タイマを停止することを特徴とする請求項１に記載の移動通信方法。
【請求項４】
第１通信方式用の第１プロトコル機能と該第１通信方式用の第２プロトコル機能と第２通信方式用の第１プロトコル機能と該第２通信方式用の第２プロトコル機能とを具備する移動局であって、
前記第１通信方式用の第１プロトコル機能は、該第１通信方式用の第２プロトコル機能から受信した第１サービス要求に応じて、該第１通信方式の無線アクセス装置との間で、第１無線リンクを確立するように構成されており、
前記第１通信方式用の第１プロトコル機能が、該第１通信方式の移動通信システムから前記第２通信方式の移動通信システムへの切り替え処理を行うように指示する切り替え指示を受信してから第１所定期間内に前記第１無線リンクの同期外れを検出した場合、該切り替え処理が完了した後に、該第２通信方式用の第１プロトコル機能は、該第２通信方式用の第２プロトコル機能に対して、再接続要求を送信するように構成されており、
前記切り替え処理の開始前に前記移動局が前記第１通信方式の移動通信システムにおいてパケット通信を行っていなかった場合に、前記第２通信方式用の第２プロトコル機能は、該第２通信方式用の第１プロトコル機能に対して、前記再接続要求に応じた第２サービス要求を送信しないように構成されており、
前記第２通信方式用の第２プロトコル機能は、受信した回線交換通信用の発信信号に応じて、該第２通信方式用の第１プロトコル機能に対して、回線交換通信用のサービス要求を送信するように構成されており、
前記第２通信方式用の第２プロトコル機能は、前記回線交換通信用のサービス要求に応じて、該第２通信方式の無線アクセス装置との間で、第２無線リンクを確立するように構成されていることを特徴とする移動局。
【請求項５】
所定タイマが満了していない場合で、かつ、前記切り替え処理の開始前に前記移動局が前記第１通信方式の移動通信システムにおいてパケット通信を行っていなかった場合に、前記第２通信方式用の第２プロトコル機能は、該第２通信方式用の第１プロトコル機能に対して、前記再接続要求に応じた第２サービス要求を送信しないように構成されており、  前記第１通信方式用の第１プロトコル機能は、前記第１サービス要求を送信した時点で、前記所定タイマを起動するように構成されており、
前記切り替え処理が完了した後に、前記第２通信方式用の第２プロトコル機能は、前記第１通信方式用の第２プロトコル機能から、前記所定タイマの状態を引き継ぐように構成されており、
前記第２通信方式用の第２プロトコル機能は、前記回線交換通信用のサービス要求を送信した時点で、前記所定タイマを停止するように構成されていることを特徴とする請求項４に記載の移動局。
【請求項６】
アプリケーション機能を更に具備し、
所定タイマが満了していない場合で、かつ、前記切り替え処理の開始前に前記移動局が前記第１通信方式の移動通信システムにおいてパケット通信を行っていなかった場合に、前記第２通信方式用の第２プロトコル機能は、該第２通信方式用の第１プロトコル機能に対して、前記再接続要求に応じた第２サービス要求を送信しないように構成されており、
前記アプリケーション機能は、前記第１通信方式用の第２プロトコル機能に対して、前記回線交換通信を開始するように要求した時点で、前記所定タイマを起動するように構成されており、
前記アプリケーション機能は、前記第２通信方式用の第２プロトコル機能に対して、前記回線交換通信用の発信信号を送信して時点で、前記所定タイマを停止するように構成されていることを特徴とする請求項４に記載の移動局。
【発明の詳細な説明】
【技術分野】
【０００１】
本発明は、第１通信方式の移動通信システムに位置登録を行っている移動局が、第２通信方式の移動通信システムにおいて回線交換通信を開始する移動通信方法、及び、第１通信方式用の第１プロトコル機能と該第１通信方式用の第２プロトコル機能と第２通信方式用の第１プロトコル機能と該第２通信方式用の第２プロトコル機能とを具備する移動局に関する。
【背景技術】
【０００２】
「パケット交換ネットワーク（ＰＳネットワーク）」のみを具備するＬＴＥ（Ｌｏｎｇ  Ｔｅｒｍ  Ｅｖｏｌｕｔｉｏｎ）方式に代表される移動通信システムでは、音声コーデックを載せたパケットを送受信するＶｏＩＰ（Ｖｏｉｃｅ  ｏｖｅｒ  ＩＰ）等によって、音声通信を実現することが一般的である。
【０００３】
しかしながら、既存の回線交換ネットワーク（ＣＳネットワーク）を有するＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式の移動通信システムでは、通常の音声通信との通信継続性（ハンドオーバ処理等）を考慮すると、ＶｏＩＰによる音声通信の提供は、技術的なハードルが高い。
【０００４】
また、回線交換ネットワークのみで提供されていたサービスがある場合、パケット交換ネットワークでは、かかるサービスについて「使えない」ことになってしまう。
【０００５】
そのため、パケット交換ネットワークにおいて音声通信等の回線交換通信を行いたい場合には、回線交換ネットワークを有する移動通信システムに在圏を移し、回線交換通信を行う方法が知られている。
【０００６】
かかる方法は、ＬＴＥ方式の移動通信システムとＵＭＴＳ方式の移動通信システムとの間、ＬＴＥ方式の移動通信システムとＧＳＭ方式の移動通信システムとの間、或いは、ＬＴＥ方式の移動通信システムとＣＤＭＡ２０００方式の移動通信システムとの間で行われる場合、「ＣＳ  Ｆａｌｌｂａｃｋ（ＣＳＦＢ）」と呼ばれる。
【０００７】
パケット交換ネットワークのみを具備する第１通信方式（例えば、ＬＴＥ方式）の移動通信システムに位置登録している移動局が、回線交換ネットワークを有する第２通信方式（例えば、ＵＭＴＳ方式/ＧＳＭ方式/ＣＤＭＡ２０００方式）の移動通信システムにフォールバックして、回線交換通信を開始する動作は、以下の通りである。
【０００８】
第１に、移動局ＵＥにおいて、第１通信方式のＮＡＳプロトコル機能（例えば、ＥＭＭ）が、第１通信方式のＡＳプロトコル機能（例えば、ＬＴＥ-ＡＳ）に対して、「回線交換発信要求信号（Ｓｅｒｖｉｃｅ  Ｒｅｑｕｅｓｔ）」を送信する。
【０００９】
第２に、移動局ＵＥにおいて、第１通信方式のＡＳプロトコル機能が、パケット交換ネットワークに対して、回線交換ネットワークへの「フォールバック要求信号（Ｓｅｒｖｉｃｅ  Ｒｅｑｕｅｓｔ）」を送信する。
【００１０】
第３に、パケット交換ネットワークが、移動局に対して、回線交換ネットワークへの「ハンドオーバ指示」若しくは「ＲＡＴ変更要求」を送信する。
【００１１】
第４に、移動局が、回線交換ネットワークに対して、回線交換通信の発信信号を送信する。
【非特許文献１】３ＧＰＰ  ＴＳ３６.３３１
【非特許文献２】３ＧＰＰ  ＴＳ２４.３０１
【非特許文献３】３ＧＰＰ  ＴＳ２３.２７２
【発明の開示】
【発明が解決しようとする課題】
【００１２】
ここで、上述の動作（すなわち、ＣＳＦＢ処理）において、移動局は、無線リンクの同期外れ（ＲＬＦ：Ｒａｄｉｏ  Ｌｉｎｋ  Ｆａｉｌｕｒｅ）を検出した後に、セルサーチ処理において、第２通信方式の移動通信システムのセルを検出した場合、ハンドオーバ処理又はＲＡＴ変更処理が完了した後に、第２通信方式のＡＳプロトコル機能（例えば、ＵＭＴＳ-ＡＳ）が、第２通信方式のＮＡＳプロトコル機能（例えば、ＭＭ/ＧＭＭ）に対して、ＰＳドメインにおける「再接続要求（ｒｅｃｏｎｎｅｃｔ要求）」を送信するように構成されている。
【００１３】
しかしながら、ＣＳＦＢ処理では、第２通信方式の移動通信システムでは、回線交換通信によって、第１通信システムの移動通信システムにおいてＶｏＩＰ（パケット交換通信）によって行われていた音声通信を行うように構成されているため、第１通信システムの移動通信システムにおいて確立されていたＰＳドメインにおけるベアラは必要ないにも関らず、ＰＳドメインにおける「再接続処理（ｒｅｃｏｎｎｅｃｔ）」が行われてしまうという問題点があった。
【００１４】
そこで、本発明は、上述の課題に鑑みてなされたものであり、ＣＳＦＢ処理において、不要な再接続処理を行わない移動通信方法及び移動局を提供することを目的とする。
【課題を解決するための手段】
【００１５】
本発明の第１の特徴は、第１通信方式の移動通信システムに位置登録を行っている移動局が、第２通信方式の移動通信システムにおいて回線交換通信を開始する移動通信方法であって、前記移動局における第１通信方式用の第１プロトコル機能が、該移動局における該第１通信方式用の第２プロトコル機能から受信した第１サービス要求に応じて、該第１通信方式の無線アクセス装置との間で、第１無線リンクを確立する工程と、前記第１通信方式用の第１プロトコル機能が、該第１通信方式の移動通信システムから前記第２通信方式の移動通信システムへの切り替え処理を行うように指示する切り替え指示を受信してから第１所定期間内に前記第１無線リンクの同期外れを検出した場合、該切り替え処理が完了した後に、該第２通信方式用の第１プロトコル機能が、該第２通信方式用の第２プロトコル機能に対して、再接続要求を送信する工程と、前記切り替え処理の開始前に前記移動局が前記第１通信方式の移動通信システムにおいてパケット通信を行っていなかった場合に、前記第２通信方式用の第２プロトコル機能が、該第２通信方式用の第１プロトコル機能に対して、前記再接続要求に応じた第２サービス要求を送信しない工程と、前記第２通信方式用の第２プロトコル機能が、受信した回線交換通信用の発信信号に応じて、該第２通信方式用の第１プロトコル機能に対して、回線交換通信用のサービス要求を送信する工程と、前記第２通信方式用の第２プロトコル機能が、前記回線交換通信用のサービス要求に応じて、該第２通信方式の無線アクセス装置との間で、第２無線リンクを確立する工程とを有することを要旨とする。
【００１６】
本発明の第２の特徴は、第１通信方式用の第１プロトコル機能と該第１通信方式用の第２プロトコル機能と第２通信方式用の第１プロトコル機能と該第２通信方式用の第２プロトコル機能とを具備する移動局であって、前記第１通信方式用の第１プロトコル機能は、該第１通信方式用の第２プロトコル機能から受信した第１サービス要求に応じて、該第１通信方式の無線アクセス装置との間で、第１無線リンクを確立するように構成されており、前記第１通信方式用の第１プロトコル機能が、該第１通信方式の移動通信システムから前記第２通信方式の移動通信システムへの切り替え処理を行うように指示する切り替え指示を受信してから第１所定期間内に前記第１無線リンクの同期外れを検出した場合、該切り替え処理が完了した後に、該第２通信方式用の第１プロトコル機能は、該第２通信方式用の第２プロトコル機能に対して、再接続要求を送信するように構成されており、前記切り替え処理の開始前に前記移動局が前記第１通信方式の移動通信システムにおいてパケット通信を行っていなかった場合に、前記第２通信方式用の第２プロトコル機能は、該第２通信方式用の第１プロトコル機能に対して、前記再接続要求に応じた第２サービス要求を送信しないように構成されており、前記第２通信方式用の第２プロトコル機能は、受信した回線交換通信用の発信信号に応じて、該第２通信方式用の第１プロトコル機能に対して、回線交換通信用のサービス要求を送信するように構成されており、前記第２通信方式用の第２プロトコル機能は、前記回線交換通信用のサービス要求に応じて、該第２通信方式の無線アクセス装置との間で、第２無線リンクを確立するように構成されていることを要旨とする。
【発明の効果】
【００１７】
以上説明したように、本発明によれば、ＣＳＦＢ処理において、不要な再接続処理を行わない移動通信方法及び移動局を提供することができる。
【発明を実施するための最良の形態】
【００１８】
（本発明の第１の実施形態に係る移動通信システム）
図１乃至図５を参照して、本発明の第１の実施形態に係る移動通信システムについて説明する。
【００１９】
図１に示すように、本実施形態に係る移動通信システムは、第１ゲートウェイ装置Ｐ-ＧＷ（ＰＤＮ-Ｇａｔｅｗａｙ）と、第２ゲートウェイ装置Ｓ-ＧＷ（Ｓｅｒｖｉｎｇ  Ｇａｔｅｗａｙ）と、ＬＴＥ方式（第１通信方式）の交換局ＭＭＥと、ＬＴＥ方式の無線アクセス装置（無線基地局）ｅＮＢと、ＵＭＴＳ方式（第２通信方式）のパケット通信用交換局ＳＧＳＮと、ＵＭＴＳ方式の無線アクセス装置（無線制御装置及び無線基地局）ＲＮＣ/ＮＢとを具備している。
【００２０】
なお、本実施形態では、第１通信方式としてＬＴＥ方式を用い、第２通信方式としてＵＭＴＳ方式を用いているが、本発明は、かかるケースに限定されるものではない。
【００２１】
すなわち、第１通信方式の移動通信システムは、パケット交換ネットワーク（ＰＳネットワーク、ＰＳドメイン）のみを具備しており、第２通信方式の移動通信システムは、パケット交換ネットワーク（ＰＳネットワーク、ＰＳドメイン）及び回線交換ネットワーク（ＣＳネットワーク、ＣＳドメイン）を具備しているものであれば、第１通信方式及び第２通信方式として、任意の通信方式を用いることができる。
【００２２】
図２に示すように、移動局ＵＥは、ＬＴＥ方式の機能として、「ＥＳＭ」と、「ＥＭＭ（第１通信方式用の第２プロトコル機能）」と、「ＬＴＥ-ＡＳ（第１通信方式用の第１プロトコル機能）」とを具備しており、ＵＭＴＳ方式の機能として、「ＳＭ/ＳＭＳ」と、「ＭＭ/ＧＭＭ（第２通信方式用の第２プロトコル機能）」と、「ＵＭＴＳ-ＡＳ（第２通信方式用の第１プロトコル機能）」とを具備している。
【００２３】
ここで、「ＬＴＥ-ＡＳ」及び「ＵＭＴＳ-ＡＳ」は、移動局ＵＥと無線基地局ｅＮＢ/ＮＢとの間で終端するＡＳプロトコル（第１プロトコル）に対応する処理を行うように構成されている。
【００２４】
また、「ＥＭＭ機能」及び「ＭＭ/ＧＭＭ」は、ＡＳプロトコル（第１プロトコル）の上位のプロトコルであり、移動局ＵＥと交換局ＭＭＥ/ＳＧＳＮとの間で終端するＮＡＳプロトコル（第２プロトコル）に対応する処理を行うように構成されている。
【００２５】
以下、図３乃至図５を参照して、本発明の第１の実施形態に係る移動通信システムの動作について説明する。
【００２６】
第１に、図３を参照して、本発明の第１の実施形態に係る移動通信システムの第１の動作について説明する。
【００２７】
図３に示すように、ステップＳ１０００では、移動局ＵＥは、ＬＴＥ方式の移動通信システムに位置登録しており、「ＬＴＥ-ＡＳ」と無線基地局ｅＮＢとの間では、移動局ＵＥと特定接続先ＡＰＮとの間の特定通信用のＲＲＣコネクション（第１無線リンク）が確立されておらず（ＲＲＣ  Ｉｄｌｅ）、第１ゲートウェイ装置Ｐ-ＧＷと第２ゲートウェイ装置Ｓ-ＧＷとの間では、移動局ＵＥと特定接続先ＡＰＮとの間の特定通信用のコネクション（ベアラ）が確立されている状態である「Ｐｒｅｓｅｒｖａｔｉｏｎ状態」であるものとする。
【００２８】
ステップＳ１００１において、移動局ＵＥの「ＡＰＬ（アプリケーション機能）」は、「ＥＭＭ」に対して、「Ｃａｌｌ  Ｓｅｔｕｐ（ＣＳＦＢ）」を送信することによって、回線交換通信を開始するように要求する（すなわち、ＣＳＦＢ処理を行うように要求する）。
【００２９】
ステップＳ１００２において、「ＥＭＭ」は、「ＬＴＥ-ＡＳ」に対して、「Ｐｒｅｓｅｒｖａｔｉｏｎ状態」から復帰して、ＵＭＴＳ方式の移動通信システムにおいて回線交換通信を開始する（すなわち、ＣＳＦＢ処理を行う）ように要求する「Ｓｅｒｖｉｃｅ  Ｒｅｑｕｅｓｔ（第１サービス要求）」を送信する。ここで、「ＥＭＭ」は、ＣＳＦＢタイマ（所定タイマ）を起動する。
【００３０】
ステップＳ１００３において、「ＬＴＥ-ＡＳ」は、無線基地局ｅＮＢに対して「ＲＲＣ  Ｃｏｎｎｅｃｔｉｏｎ  Ｒｅｑｕｅｓｔ」を送信し、ステップＳ１００４において、無線基地局ｅＮＢは、「ＬＴＥ-ＡＳ」に対して「ＲＲＣ  Ｃｏｎｎｅｃｔｉｏｎ  Ｓｅｔｕｐ」を送信する。
【００３１】
ステップＳ１００５において、「ＬＴＥ-ＡＳ」は、「ＬＴＥ-ＡＳ」と無線基地局ｅＮＢとの間で第１無線リンクを確立したことを通知するための「ＲＲＣ  Ｃｏｎｎｅｃｔｉｏｎ  Ｓｅｔｕｐ  Ｃｏｍｐｌｅｔｅ」を、無線基地局ｅＮＢに対して送信する。
【００３２】
ここで、「ＬＴＥ-ＡＳ」は、「ＲＲＣ  Ｃｏｎｎｅｃｔｉｏｎ  Ｓｅｔｕｐ  Ｃｏｍｐｌｅｔｅ」によって、「Ｓｅｒｖｉｃｅ  Ｒｅｑｕｅｓｔ（第１サービス要求）」を、無線基地局ｅＮＢに対して送信する。
【００３３】
ステップＳ１００６において、Ｓｅｃｕｒｉｔｙ手順が成功した場合に、上述の「Ｐｒｅｓｅｒｖａｔｉｏｎ状態」からの復帰処理が完了する。
【００３４】
ステップＳ１００７において、無線基地局ｅＮＢは、「ＬＴＥ-ＡＳ」に対して、ＬＴＥ方式の移動通信システムからＵＭＴＳ方式の移動通信システムへの切り替え処理（ハンドオーバ処理又はＲＡＴ変更処理）を行うように指示する「Ｍｏｂｉｌｉｔｙ  Ｆｒｏｍ  ＥＵＴＲＡ  Ｃｏｍｍａｎｄ（ＨＯ）（切り替え指示）」を送信する。
【００３５】
ステップＳ１００８において、「ＬＴＥ-ＡＳ」は、「Ｍｏｂｉｌｉｔｙ  Ｆｒｏｍ  ＥＵＴＲＡ  Ｃｏｍｍａｎｄ（ＨＯ）」を受信してから「Ｔ３０４（第１所定期間）」内に第１無線リンクの同期外れ（ＲＬＦ）を検出する。
【００３６】
「ＬＴＥ-ＡＳ」は、ステップＳ１００９において、セルサーチ処理を行い、ステップＳ１０１０において、かかるセルサーチ処理において、所定期間（Ｔ３１１）内に、ＵＭＴＳ方式の移動通信システム内のセルを検出する。
【００３７】
ステップＳ１０１１では、移動局ＵＥが、ＬＴＥ方式の移動通信システムに位置登録しており、「ＵＭＴＳ-ＡＳ」と無線アクセス装置（無線制御装置ＲＮＣ及び無線基地局ＮＢ）との間では、移動局ＵＥと特定接続先ＡＰＮとの間の特定通信用のＲＲＣコネクション（第２無線リンク）が確立されておらず（ＲＲＣ  Ｉｄｌｅ）、第１ゲートウェイ装置Ｐ-ＧＷと第２ゲートウェイ装置Ｓ-ＧＷとの間では、移動局ＵＥと特定接続先ＡＰＮとの間の特定通信用のコネクション（ベアラ）が確立されている状態である「Ｐｒｅｓｅｒｖａｔｉｏｎ状態」であるものとする。
【００３８】
ステップＳ１０１２において、移動局ＵＥについて、ＬＴＥ方式の移動通信システムからＵＭＴＳ移動通信システムへの切り替え処理（ＲＡＴ変更処理）が行われる。
【００３９】
ステップＳ１０１３において、かかる切り替え処理が完了した後に、「ＭＭ/ＧＭＭ」は、「ＥＭＭ」から、ＣＳＦＢタイマの状態を引き継ぎ、かかるＣＳＦＢタイマの起動状態を継続すると共に、ＰＳシグナリングの有無、すなわち、上述の切り替え処理の開始前に移動局ＵＥがＬＴＥ方式の移動通信システムにおいてパケット通信を行っていたか否かについての情報を引き継ぐ。
【００４０】
「ＵＭＴＳ-ＡＳ」は、ステップＳ１０１４において、ＵＭＴＳ方式の移動通信システム内のセルに在圏していることを検知した場合に、ステップＳ１０１５において、その旨を示す「在圏通知」を「ＭＭ/ＧＭＭ」に対して通知し、ステップＳ１０１７において、「ｒｅｃｏｎｎｅｃｔ要求」を「ＭＭ/ＧＭＭ」に対して通知する。
【００４１】
ステップＳ１０１６において、「ＭＭ/ＧＭＭ」は、かかる「在圏通知」を「ＡＰＬ」に送信する。
【００４２】
ステップＳ１０１８において、上述の切り替え処理の開始前に移動局ＵＥがＬＴＥ方式の移動通信システムにおいてパケット通信を行っていなかったため、「ＭＭ/ＧＭＭ」は、受信した「ｒｅｃｏｎｎｅｃｔ要求」を無視し、「ＵＭＴＳ-ＡＳ」に対して「ｒｅｃｏｎｎｅｃｔ要求」に応じた「Ｓｅｒｖｉｃｅ  Ｒｅｑｕｅｓｔ」を送信しない。
【００４３】
一方、上述の切り替え処理の開始前に移動局ＵＥがＬＴＥ方式の移動通信システムにおいてパケット通信を行っていた場合には、「ＭＭ/ＧＭＭ」は、受信した「ｒｅｃｏｎｎｅｃｔ要求」を無視することなく、「ＵＭＴＳ-ＡＳ」に対して「ｒｅｃｏｎｎｅｃｔ要求」に応じた「Ｓｅｒｖｉｃｅ  Ｒｅｑｕｅｓｔ」を送信する。
【００４４】
なお、かかるＣＳＦＢ動作が完了する前に、ＣＳＦＢタイマが満了している場合には、かかるＣＳＦＢ動作は、終了してもよい。
【００４５】
ステップＳ１０１９において、「ＡＰＬ」は、「ＭＭ/ＧＭＭ」に対して、回線交換通信用の発信信号を送信する。
【００４６】
ステップＳ１０２０において、「ＭＭ/ＧＭＭ」は、受信した回線交換通信用の発信信号に応じて、「ＵＭＴＳ-ＡＳ」に対して、「ＣＭ  Ｓｅｒｖｉｃｅ  Ｒｅｑｕｅｓｔ（回線交換通信用のサービス要求）」を送信する。ここで、「ＭＭ/ＧＭＭ」は、ＣＳＦＢタイマを停止する。
【００４７】
ステップＳ１０２１において、「ＵＭＴＳ-ＡＳ」が、「ＣＭ  Ｓｅｒｖｉｃｅ  Ｒｅｑｕｅｓｔ」に応じて、無線アクセス装置（無線制御装置ＲＮＣ及び無線基地局ＮＢ）に対して「ＲＲＣ  Ｃｏｎｎｅｃｔｉｏｎ  Ｒｅｑｕｅｓｔ」を送信することによって、無線制御装置ＲＮＣ及び無線基地局ＮＢ（第２通信方式の無線アクセス装置）との間で、ＲＲＣコネクション（第２無線リンク）を確立する。
【００４８】
ステップＳ１０２２において、「ＭＭ/ＧＭＭ」と無線アクセス装置（無線制御装置ＲＮＣ及び無線基地局ＮＢ）との間で、回線通信呼の発信手順が行われる。
【００４９】
第２に、図４を参照して、本発明の第１の実施形態に係る移動通信システムの第２の動作について、上述の第１の動作との相違点に着目して説明する。
【００５０】
ステップＳ２００１において、「ＡＰＬ」は、「ＥＭＭ」に対して、「Ｃａｌｌ  Ｓｅｔｕｐ（ＣＳＦＢ）」を送信することによって、回線交換通信を開始するように要求する（すなわち、ＣＳＦＢ処理を行うように要求する）。ここで、「ＡＰＬ」は、ＣＳＦＢタイマを起動し、「ＥＭＭ」は、ＣＳＦＢ動作が行われている状態である「ＣＳＦＢ中状態」であることを管理する。
【００５１】
ステップＳ２００２乃至Ｓ２０１２の動作は、図３に示すステップＳ１００２乃至Ｓ１０１２の動作と同一である。
【００５２】
ステップＳ２０１３において、ステップＳ２０１２の切り替え処理（ＲＡＴ変更処理）が完了した後に、「ＭＭ/ＧＭＭ」が、「ＥＭＭ」から、「ＣＳＦＢ中状態」であることを引き継ぐと共に、ＰＳシグナリングの有無、すなわち、上述の切り替え処理の開始前に移動局ＵＥがＬＴＥ方式の移動通信システムにおいてパケット通信を行っていたか否かについての情報を引き継ぐ。
【００５３】
ステップＳ２０１４乃至Ｓ２０１７の動作は、図３に示すステップＳ１０１４乃至Ｓ１０１７の動作と同一である。
【００５４】
ステップＳ２０１８において、ＣＳＦＢタイマが満了しておらず（すなわち、「ＣＳＦＢ中状態」であり）、かつ、上述の切り替え処理の開始前に移動局ＵＥがＬＴＥ方式の移動通信システムにおいてパケット通信を行っていなかったため、「ＭＭ/ＧＭＭ」は、受信した「ｒｅｃｏｎｎｅｃｔ要求」を無視し、「ＵＭＴＳ-ＡＳ」に対して「ｒｅｃｏｎｎｅｃｔ要求」に応じた「Ｓｅｒｖｉｃｅ  Ｒｅｑｕｅｓｔ」を送信しない。
【００５５】
一方、ＣＳＦＢタイマが満了しており（すなわち、「ＣＳＦＢ中状態」でなく）、かつ、上述の切り替え処理の開始前に移動局ＵＥがＬＴＥ方式の移動通信システムにおいてパケット通信を行っていた場合には、「ＭＭ/ＧＭＭ」は、受信した「ｒｅｃｏｎｎｅｃｔ要求」を無視することなく、「ＵＭＴＳ-ＡＳ」に対して「ｒｅｃｏｎｎｅｃｔ要求」に応じた「Ｓｅｒｖｉｃｅ  Ｒｅｑｕｅｓｔ」を送信する。
【００５６】
ステップＳ２０１９において、「ＡＰＬ」は、「ＭＭ/ＧＭＭ」に対して、回線交換通信用の発信信号を送信する。ここで、「ＡＰＬ」は、ＣＳＦＢタイマを停止する。
【００５７】
第３に、図５を参照して、移動局ＵＥにおける「ＭＭ/ＧＭＭ」のＣＳＦＢ処理中の動作について説明する。
【００５８】
図５に示すように、ステップＳ１０１において、ＲＡＴ変更処理（図３におけるステップＳ１０１２及び図４におけるステップＳ２０１２）によって、「ＭＭ/ＧＭＭ」は、移動局ＵＥと特定接続先ＡＰＮとの間の特定通信に対する制御を「ＥＭＭ」から引き継ぐ。
【００５９】
ステップＳ１０２において、「ＭＭ/ＧＭＭ」は、「ＵＭＴＳ-ＡＳ」から「ｒｅｃｏｎｎｅｃｔ要求」を受信する（図３におけるステップＳ１０１７及び図４におけるステップＳ２０１７）。
【００６０】
ここで、「ＭＭ/ＧＭＭ」は、「ＣＳＦＢ中状態」であることを管理しているか、或いは、ＣＳＦＢタイマが起動中であることを管理しているものとする。
【００６１】
ステップＳ１０３において、「ＭＭ/ＧＭＭ」は、ＲＡＴ変更処理の前に、「ＥＭＭ」において、他のパケット交換通信（すなわち、ＶｏＩＰによるパケット通信以外のパケット通信）が行われていたか否かについて判定する。
【００６２】
他のパケット交換通信が行われていたと判定された場合、「ＭＭ/ＧＭＭ」は、ステップＳ１０４において、ＵＭＴＳ方式の移動通信システム内のセルにおいて在圏中であることを検知し、ステップＳ１０５において、他のパケット交換通信用の「Ｓｅｒｖｉｃｅ  Ｒｅｑｕｅｓｔ（サービス要求）」を「ＵＭＴＳ-ＡＳ」に対して送信し、ステップＳ１０７において、「ＡＰＬ」からの回線交換通信用の発信信号に応じて、回線交換通信用の「ＣＭ  Ｓｅｒｖｉｃｅ  Ｒｅｑｕｅｓｔ」を「ＵＭＴＳ-ＡＳ」に対して送信する（図３におけるステップＳ１０２０及び図４におけるステップＳ２０２０）。
【００６３】
一方、他のパケット交換通信が行われていなかったと判定された場合、「ＭＭ/ＧＭＭ」は、ステップＳ１０６において、ＵＭＴＳ方式の移動通信システム内のセルにおいて在圏中であることを検知し、ステップＳ１０７において、「ＡＰＬ」からの回線交換通信用の発信信号に応じて、他のパケット交換通信用の「Ｓｅｒｖｉｃｅ  Ｒｅｑｕｅｓｔ（サービス要求）」を「ＵＭＴＳ-ＡＳ」に対して送信することなく、回線交換通信用の「ＣＭ  Ｓｅｒｖｉｃｅ  Ｒｅｑｕｅｓｔ」を「ＵＭＴＳ-ＡＳ」に対して送信する（図３におけるステップＳ１０２０及び図４におけるステップＳ２０２０）。
【００６４】
（本発明の第１の実施形態に係る移動通信システムの作用・効果）
本発明の第１の実施形態に係る移動通信システムによれば、移動局ＵＥにおける「ＭＭ/ＧＭＭ」が、ＣＳＦＢタイマが満了しておらず、かつ、上述の切り替え処理の開始前に移動局ＵＥがＬＴＥ方式の移動通信システムにおいてパケット通信を行っていない場合には、受信した「ｒｅｃｏｎｎｅｃｔ要求」を無視するように構成されているため、ＣＳＦＢ処理において、不要な再接続処理を行わない、すなわち、不要なパケット交換通信用のベアラを設定しないという効果を奏することができる。
【００６５】
また、本発明の第１の実施形態に係る移動通信システムによれば、ＣＳＦＢタイマを設けることによって、ＲＡＴ間を跨る発信処理を必要とするＣＳＦＢ処理において、ＮＡＳプロトコル機能側の処理及びＡＳプロトコル機能側の処理を、一連の動作として管理することができる。
【００６６】
したがって、ＣＳＦＢ処理において異常が発生した場合であっても、アプリケーション機能やユーザが、長時間、待たされるという不具合を解消することができる。
【００６７】
以上に述べた本実施形態の特徴は、以下のように表現されていてもよい。
【００６８】
本実施形態の第１の特徴は、ＬＴＥ方式（第１通信方式）の移動通信システムに位置登録を行っている移動局ＵＥが、ＵＭＴＳ方式（第２通信方式）の移動通信システムにおいて回線交換通信を開始する（すなわち、ＣＳＦＢ処理を行う）移動通信方法であって、移動局ＵＥにおける「ＬＴＥ-ＡＳ（第１通信方式用の第１プロトコル機能）」が、移動局ＵＥにおける「ＥＭＭ（第１通信方式用の第２プロトコル機能）」から受信した「Ｓｅｒｖｉｃｅ  Ｒｅｑｕｅｓｔ（第１サービス要求）」に応じて、無線基地局ｅＮＢ（第１通信方式の無線アクセス装置）との間で、第１無線リンクを確立する工程Ａと、「ＬＴＥ-ＡＳ（第１通信方式用の第１プロトコル機能）」が、ＬＴＥ方式（第１通信方式）の移動通信システムからＵＭＴＳ方式（第２通信方式）の移動通信システムへの切り替え処理（ハンドオーバ処理又はＲＡＴ変更処理）を行うように指示する「Ｍｏｂｉｌｉｔｙ  Ｆｒｏｍ  ＥＵＴＲＡ  Ｃｏｍｍａｎｄ（ＨＯ）（切り替え指示）」を受信してから第１所定期間内に第１無線リンクの同期外れ（ＲＬＦ）を検出した場合、かかる切り替え処理が完了した後に、「ＵＭＴＳ-ＡＳ（第２通信方式用の第１プロトコル機能）」が、「ＭＭ/ＧＭＭ（第２通信方式用の第２プロトコル機能）」に対して「ｒｅｃｃｏｎｅｃｔ要求（再接続要求）」を送信する工程Ｂと、上述の切り替え処理の開始前に移動局ＵＥがＬＴＥ方式（第１通信方式）の移動通信システムにおいてパケット通信を行っていなかった場合に、「ＭＭ/ＧＭＭ（第２通信方式用の第２プロトコル機能）」が、「ＵＭＴＳ-ＡＳ（第２通信方式用の第１プロトコル機能）」に対して「ｒｅｃｏｎｎｅｃｔ要求（再接続要求）」に応じた「Ｓｅｒｖｉｃｅ  Ｒｅｑｕｅｓｔ（第２サービス要求）」を送信しない工程Ｃと、「ＭＭ/ＧＭＭ（第２通信方式用の第２プロトコル機能）」が、受信した回線交換通信用の発信信号に応じて、「ＵＭＴＳ-ＡＳ（第２通信方式用の第１プロトコル機能）」に対して「ＣＭ  Ｓｅｒｖｉｃｅ  Ｒｅｑｕｅｓｔ（回線交換通信用のサービス要求）」を送信する工程Ｄと、「ＭＭ/ＧＭＭ（第２通信方式用の第２プロトコル機能）」が、「ＣＭ  Ｓｅｒｖｉｃｅ  Ｒｅｑｕｅｓｔ（回線交換通信用のサービス要求）」に応じて、無線制御装置ＲＮＣ及び無線基地局ＮＢ（第２通信方式の無線アクセス装置）との間で、第２無線リンクを確立する工程Ｅとを有することを要旨とする。
【００６９】
本実施形態の第１の特徴において、工程Ｃにおいて、ＣＳＦＢタイマ（所定タイマ）が満了していない場合で、かつ、上述の切り替え処理の開始前に移動局ＵＥがＬＴＥ方式（第１通信方式）の移動通信システムにおいてパケット通信を行っていなかった場合に、「ＭＭ/ＧＭＭ（第２通信方式用の第２プロトコル機能）」が、「ＵＭＴＳ-ＡＳ（第２通信方式用の第１プロトコル機能）」に対して「ｒｅｃｏｎｎｅｃｔ要求（再接続要求）」に応じた「Ｓｅｒｖｉｃｅ  Ｒｅｑｕｅｓｔ（第２サービス要求）」を送信せず、「ＥＭＭ（第１通信方式用の第２プロトコル機能）」が、「Ｓｅｒｖｉｃｅ  Ｒｅｑｕｅｓｔ（第１サービス要求）」を送信した時点で、ＣＳＦＢタイマ（所定タイマ）を起動し、上述の切り替え処理が完了した後に、「ＭＭ/ＧＭＭ（第２通信方式用の第２プロトコル機能）」が、「ＥＭＭ（第１通信方式用の第２プロトコル機能）」から、ＣＳＦＢタイマ（所定タイマ）の状態を引き継ぎ、「ＭＭ/ＧＭＭ（第２通信方式用の第２プロトコル機能）が、「ＣＭ  Ｓｅｒｖｉｃｅ  Ｒｅｑｕｅｓｔ（回線交換通信用のサービス要求）」を送信した時点で、ＣＳＦＢタイマ（所定タイマ）を停止してもよい。
【００７０】
本実施形態の第１の特徴において、工程Ｃにおいて、ＣＳＦＢタイマ（所定タイマ）が満了していない場合で、かつ、上述の切り替え処理の開始前に移動局ＵＥがＬＴＥ方式（第１通信方式）の移動通信システムにおいてパケット通信を行っていなかった場合に、「ＭＭ/ＧＭＭ（第２通信方式用の第２プロトコル機能）」が、「ＵＭＴＳ-ＡＳ（第２通信方式用の第１プロトコル機能）」に対して「ｒｅｃｏｎｎｅｃｔ要求（再接続要求）」に応じた「Ｓｅｒｖｉｃｅ  Ｒｅｑｕｅｓｔ（第２サービス要求）」を送信せず、「ＡＰＬ（アプリケーション機能）」が、「ＥＭＭ（第１通信方式用の第２プロトコル機能）」に対して、回線交換通信を開始するように要求した時点で、ＣＳＦＢタイマ（所定タイマ）を起動し、「ＡＰＬ（アプリケーション機能）」が、「ＭＭ/ＧＭＭ（第２通信方式用の第２プロトコル機能）」に対して、回線交換通信用の発信信号を送信して時点で、ＣＳＦＢタイマ（所定タイマ）を停止してもよい。
【００７１】
本実施形態の第２の特徴は、「ＬＴＥ-ＡＳ（第１通信方式用の第１プロトコル機能）」と「ＥＭＭ（第１通信方式用の第２プロトコル機能）」と「ＵＭＴＳ-ＡＳ（第２通信方式用の第１プロトコル機能）」と「ＭＭ/ＧＭＭ（第２通信方式用の第２プロトコル機能）」とを具備する移動局ＵＥであって、「ＬＴＥ-ＡＳ（第１通信方式用の第１プロトコル機能）」は、「ＥＭＭ（第１通信方式用の第２プロトコル機能）」から受信した「Ｓｅｒｖｉｃｅ  Ｒｅｑｕｅｓｔ（第１サービス要求）」に応じて、無線基地局ｅＮＢ（第１通信方式の無線アクセス装置）との間で、第１無線リンクを確立するように構成されており、「ＬＴＥ-ＡＳ（第１通信方式用の第１プロトコル機能）」が、ＬＴＥ方式（第１通信方式）の移動通信システムからＵＭＴＳ方式（第２通信方式）の移動通信システムへの切り替え処理を行うように指示する「Ｍｏｂｉｌｉｔｙ  Ｆｒｏｍ  ＥＵＴＲＡ  Ｃｏｍｍａｎｄ（ＨＯ）（切り替え指示）」を受信してから第１所定期間内に第１無線リンクの同期外れ（ＲＬＦ）を検出した場合、かかる切り替え処理が完了した後に、「ＵＭＴＳ-ＡＳ（第２通信方式用の第１プロトコル機能）」は、「ＭＭ/ＧＭＭ（第２通信方式用の第２プロトコル機能）」に対して「ｒｅｃｏｎｎｅｃｔ要求（再接続要求）」を送信するように構成されており、上述の切り替え処理の開始前に移動局ＵＥがＬＴＥ方式（第１通信方式）の移動通信システムにおいてパケット通信を行っていなかった場合に、「ＭＭ/ＧＭＭ（第２通信方式用の第２プロトコル機能）」は、「ＵＭＴＳ-ＡＳ（第２通信方式用の第１プロトコル機能）」に対して「ｒｅｃｏｎｎｅｃｔ要求（再接続要求）」に応じた「Ｓｅｒｖｉｃｅ  Ｒｅｑｕｅｓｔ（第２サービス要求）」を送信しないように構成されており、「ＭＭ/ＧＭＭ（第２通信方式用の第２プロトコル機能）」は、受信した回線交換通信用の発信信号に応じて、「ＵＭＴＳ-ＡＳ（第２通信方式用の第１プロトコル機能）」に対して「ＣＭ  Ｓｅｒｖｉｃｅ  Ｒｅｑｕｅｓｔ（回線交換通信用のサービス要求）」を送信するように構成されており、「ＭＭ/ＧＭＭ（第２通信方式用の第２プロトコル機能）」は、「ＣＭ  Ｓｅｒｖｉｃｅ  Ｒｅｑｕｅｓｔ（回線交換通信用のサービス要求）」に応じて、無線制御装置ＲＮＣ及び無線基地局ＮＢ（第２通信方式の無線アクセス装置）との間で、第２無線リンクを確立するように構成されていることを要旨とする。
【００７２】
本実施形態の第２の特徴において、ＣＳＦＢタイマ（所定タイマ）が満了していない場合で、かつ、上述の切り替え処理の開始前に移動局ＵＥがＬＴＥ方式（第１通信方式）の移動通信システムにおいてパケット通信を行っていなかった場合に、「ＭＭ/ＧＭＭ（第２通信方式用の第２プロトコル機能）」は、「ＵＭＴＳ-ＡＳ（第２通信方式用の第１プロトコル機能）」に対して「ｒｅｃｏｎｎｅｃｔ要求（再接続要求）」に応じた「Ｓｅｒｖｉｃｅ  Ｒｅｑｕｅｓｔ（第２サービス要求）」を送信しないように構成されており、「ＥＭＭ（第１通信方式用の第２プロトコル機能）」は、「Ｓｅｒｖｉｃｅ  Ｒｅｑｕｅｓｔ（第１サービス要求）」を送信した時点で、ＣＳＦＢタイマ（所定タイマ）を起動するように構成されており、上述の切り替えが完了した後に、「ＭＭ/ＧＭＭ（第２通信方式用の第２プロトコル機能）」は、「ＥＭＭ（第１通信方式用の第２プロトコル機能）」から、ＣＳＦＢタイマ（所定タイマ）の状態を引き継ぐように構成されており、「ＭＭ/ＧＭＭ（第２通信方式用の第２プロトコル機能）」は、「ＣＭ  Ｓｅｒｖｉｃｅ  Ｒｅｑｕｅｓｔ（回線交換通信用のサービス要求）」を送信した時点で、ＣＳＦＢタイマ（所定タイマ）を停止するように構成されていてもよい。
【００７３】
本実施形態の第２の特徴において、「ＡＰＬ（アプリケーション機能）」を更に具備し、ＣＳＦＢタイマ（所定タイマ）が満了していない場合で、かつ、上述の切り替え処理の開始前に移動局ＵＥがＬＴＥ方式（第１通信方式）の移動通信システムにおいてパケット通信を行っていなかった場合に、「ＭＭ/ＧＭＭ（第２通信方式用の第２プロトコル機能）」は、「ＵＭＴＳ-ＡＳ（第２通信方式用の第１プロトコル機能）」に対して「ｒｅｃｏｎｎｅｃｔ要求（再接続要求）」に応じた「Ｓｅｒｖｉｃｅ  Ｒｅｑｕｅｓｔ（第２サービス要求）」を送信しないように構成されており、「ＡＰＬ（アプリケーション機能）」は、「ＥＭＭ（第１通信方式用の第２プロトコル機能）」に対して、回線交換通信を開始するように要求した時点で、ＣＳＦＢタイマ（所定タイマ）を起動するように構成されており、「ＡＰＬ（アプリケーション機能）」は、「ＭＭ/ＧＭＭ（第２通信方式用の第２プロトコル機能）」に対して、回線交換通信用の発信信号を送信して時点で、ＣＳＦＢタイマ（所定タイマ）を停止するように構成されていてもよい。
【００７４】
なお、上述の移動局ＵＥや無線基地局ｅＮＢ/ＮＢや無線制御装置ＲＮＣや交換局ＭＭＥ/ＳＧＳＮの動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ/ＮＢや無線制御装置ＲＮＣや交換局ＭＭＥ/ＳＧＳＮ内に設けられていてもよい。また、かかる記憶媒体及びプロセッサは、ディスクリートコンポーネントとして移動局ＵＥや無線基地局ｅＮＢ/ＮＢや無線制御装置ＲＮＣや交換局ＭＭＥ/ＳＧＳＮ内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７８】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を示すシーケンス図である。
【図４】本発明の第１の実施形態に係る移動通信システムの動作を示すシーケンス図である。
【図５】本発明の第１の実施形態に係る移動局の動作を示すフローチャートである。
【符号の説明】
【００７９】
ＵＥ…移動局
ｅＮＢ、ＮＢ…無線基地局
ＲＮＣ…無線制御装置
ＭＭＥ、ＳＧＳＮ…交換局
【図１】
2010045428.tif 000003
【図２】
2010045428.tif 000004
【図３】
2010045428.tif 000005
【図４】
2010045428.tif 000006
【図５】
2010045428.tif 000007
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
第１通信方式の移動通信システムに位置登録を行っている移動局が、第２通信方式の移動通信システムにおいて回線交換通信を開始する移動通信方法であって、
前記移動局において、第１通信方式用の第２プロトコル機能が、第１通信方式用の第１プロトコル機能に対して、前記第２通信方式の移動通信システムにおいて回線交換通信を開始するように要求する第1サービス要求を送信すると共に、所定タイマを起動する工程と、
前記移動局において、前記第１通信方式用の第１プロトコル機能が、前記第１サービス要求に応じて、第１通信方式の無線アクセス装置との間で第１無線リンクを確立した後に、該第１通信方式の無線アクセス装置に対して、前記第１サービス要求を送信する工程と、
前記移動局において、前記第１通信方式用の第１プロトコル機能が、該第１通信方式の移動通信システムから前記第２通信方式の移動通信システムへの切り替え処理を行うように指示する切り替え指示を受信した後、前記第１無線リンクの同期外れを検出した場合、前記所定タイマを停止することなく、セルサーチ処理を行い、前記第２通信方式の移動通信システム内のセルを検出する工程と、
前記移動局において、前記所定タイマが満了する前に、前記第1通信方式の移動通信システムから前記第２通信方式の移動通信システムへの切り替え処理が行われた場合に、第２通信方式用の第２プロトコル機能が、第２通信方式用の第１プロトコル機能に対して、回線交換通信用のサービス要求を送信し、該所定タイマを停止する工程と、
前記第２通信方式用の第１プロトコル機能が、前記回線交換通信用のサービス要求に応じて、第２通信方式の無線アクセス装置との間で、第２無線リンクを確立する工程とを有することを特徴とする移動通信方法。
【請求項２】
第１通信方式用の第１プロトコル機能と、第１通信方式用の第２プロトコル機能と、第２通信方式用の第１プロトコル機能と、第２通信方式用の第２プロトコル機能と、所定タイマとを具備する移動局であって、
前記第１通信方式用の第２プロトコル機能は、前記第１通信方式用の第１プロトコル機能に対して、前記第２通信方式の移動通信システムにおいて回線交換通信を開始するように要求する第1サービス要求を送信すると共に、前記所定タイマを起動するように構成されており、
前記第１通信方式用の第１プロトコル機能は、前記第１サービス要求に応じて、第１通信方式の無線アクセス装置との間で第１無線リンクを確立した後に、該第１通信方式の無線アクセス装置に対して、前記第１サービス要求を送信するように構成されており、
前記第１通信方式用の第１プロトコル機能は、該第１通信方式の移動通信システムから前記第２通信方式の移動通信システムへの切り替え処理を行うように指示する切り替え指示を受信した後、前記第１無線リンクの同期外れを検出した場合、前記所定タイマを停止することなく、セルサーチ処理を行い、前記第２通信方式の移動通信システム内のセルを検出するように構成されており、
前記所定タイマが満了する前に、前記第1通信方式の移動通信システムから前記第２通信方式の移動通信システムへの切り替え処理が行われた場合に、前記第２通信方式用の第２プロトコル機能は、前記第２通信方式用の第１プロトコル機能に対して、回線交換通信用のサービス要求を送信し、該所定タイマを停止するように構成されており、
前記第２通信方式用の第１プロトコル機能は、前記回線交換通信用のサービス要求に応じて、第２通信方式の無線アクセス装置との間で、第２無線リンクを確立するように構成されていることを特徴とする移動局。